(57)【要約】【課題】本発明は、例えば光ディスク装置に適用して、インデックスファイルにおける空きスロットによる無駄を低減することができるようにする。【解決手段】本発明は、プロパティＥ４のスロットに、有効無効を示す有効無効情報を設定し、プロパティＥ４のヘッダＰＨに、この有効無効情報により有効に設定したスロットの最後尾のスロットを示す最後尾有効スロット番号を設定する。【選択図】        図８
2004259398.tif 000002
【特許請求の範囲】
【請求項１】
所望のファイルを記録媒体に記録する記録装置において、
前記ファイル及びフォルダの抜粋情報により、前記記録媒体に記録した前記ファイルのインデックスファイルを作成するインデックスファイル生成手段を備え、
前記インデックスファイル生成手段は、
前記抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当てて前記インデックスファイルを作成し、
前記プロパティのグループの各スロットに、自身のスロット及び前記異なるグループの対応するスロットの管理情報を設定し、
前記管理情報には、少なくとも前記異なるグループの対応するスロットを特定するスロット番号と、前記異なるグループの対応するスロット及び自身のスロットの有効無効を示す有効無効情報とを設定し、
前記プロパティのグループのヘッダに、前記有効無効情報により有効に設定されてなる最後尾のスロットを特定する最後尾有効スロット番号を設定する
ことを特徴とする記録装置。
【請求項２】
前記インデックスファイルを前記記録媒体から再生する際に、前記最後尾のスロットより末尾側の前記スロットの再生を中止する
ことを特徴とする請求項１に記載の記録装置。
【請求項３】
前記ヘッダに設定された前記最後尾有効スロット番号に基づいて、前記プロパティのグループの前記最後尾のスロットまでをまとめて記録媒体から再生してメモリに保持し、
前記メモリに保持した情報に基づいて、前記記録媒体を再生する
ことを特徴とする請求項２に記載の記録装置。
【請求項４】
記録媒体に記録された複数のファイルに係るファイル管理方法において、
前記ファイル及びフォルダの抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、自身のスロット及び前記異なるグループの対応するスロットの管理情報を設定し、
前記管理情報には、少なくとも前記異なるグループの対応するスロットを特定するスロット番号と、前記異なるグループの対応するスロット及び自身のスロットの有効無効を示す有効無効情報とを設定し、
前記プロパティのグループのヘッダに、前記有効無効情報により有効に設定されてなる最後尾のスロットを特定する最後尾有効スロット番号を設定する
ことを特徴とするファイル管理方法。
【請求項５】
コンピュータに所定の処理手順を実行させることにより、記録媒体に記録された複数のファイルを管理するファイル管理方法のプログラムにおいて、
前記処理手順が、
前記ファイル及びフォルダの抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、自身のスロット及び前記異なるグループの対応するスロットの管理情報を設定し、
前記管理情報には、少なくとも前記異なるグループの対応するスロットを特定するスロット番号と、前記異なるグループの対応するスロット及び自身のスロットの有効無効を示す有効無効情報とを設定し、
前記プロパティのグループのヘッダに、前記有効無効情報により有効に設定されてなる最後尾のスロットを特定する最後尾有効スロット番号を設定する処理手順である
ことを特徴とするファイル管理方法のプログラム。
【請求項６】
コンピュータに所定の処理手順を実行させることにより、記録媒体に記録された複数のファイルを管理するファイル管理方法のプログラムを記録した記録媒体において、
前記処理手順が、
前記ファイル及びフォルダの抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、自身のスロット及び前記異なるグループの対応するスロットの管理情報を設定し、
前記管理情報には、少なくとも前記異なるグループの対応するスロットを特定するスロット番号と、前記異なるグループの対応するスロット及び自身のスロットの有効無効を示す有効無効情報とを設定し、
前記プロパティのグループのヘッダに、前記有効無効情報により有効に設定されてなる最後尾のスロットを特定する最後尾有効スロット番号を設定する処理手順である
ことを特徴とするファイル管理方法のプログラムを記録した記録媒体。
【発明の詳細な説明】
【０００１】
【発明の属する技術分野】
本発明は、記録装置、ファイル管理方法、ファイル管理方法のプログラム、ファイル管理方法のプログラムを記録した記録媒体に関し、例えば光ディスク装置に適用することができる。本発明は、プロパティのスロットに、有効無効を示す有効無効情報を設定し、プロパティのヘッダに、この有効無効情報により有効に設定したスロットの最後尾のスロットを指し示す最後尾有効スロット番号を設定することにより、空きスロットによる無駄を低減することができるようにする。
【０００２】
【従来の技術】
近年、光ディスク等のランダムアクセス可能な大容量の記録媒体を用いて、撮像結果を記録するディスク装置等が提案されるようになされている。
【０００３】
このようなディスク装置に関して、例えば特開２００１−８４７０５号公報においては、記録媒体に記録した多数のファイルよりこれら多数のファイルのインデックス用のファイルであるインデクスファイルを作成してこの記録媒体に記録することにより、このインデックスファイルを用いてこれら多数のファイルに係る操作性を向上する方法が提案されるようになされている。
【０００４】
また特開２００２−２７８９９６号公報においては、このようにして作成したインデックスファイルにおいて、各ファイルを階層化して管理することにより、さらに一段とこれら多数のファイルに係る操作性を向上する方法が提案されるようになされている。
【０００５】
すなわちこれらの方法において、インデックスファイルは、管理対象ファイル等に係る情報を抜粋して形成される抜粋情報をまとめた実データの部分と、この実データをアクセスするのに必要な位置情報等をまとめた管理データの部分とにより構成される。
【０００６】
このうち実データの部分は、図９に示すように、抜粋情報をその抜粋情報の種類毎にグループ化してまとめたデータ群であるサウンドエントリＥ１、テキストエントリＥ２、サムネイル画像エントリＥ３、プロパティエントリＥ４により構成される。ここでサウンドエントリＥ１は、ディスクタイトル、各管理対象ファイルの内容を示す短時間のオーディオデータによる抜粋情報が割り当てられ、先頭に、サウンドエントリＥ１であることを示すサウンドエントリヘッダＳＨが設定され、抜粋情報をブロック化してなるサウンドエントリスロットＳＥＳ０、ＳＥＳ１、ＳＥＳ２、……の連続により形成される。
【０００７】
またテキストエントリＥ２は、ディスクタイトル、各管理対象ファイルに係るタイトルの文字列による抜粋情報が割り当てられ、先頭に、テキストエントリＥ２であることを示すテキストエントリヘッダＴＸＨが設定され、抜粋情報をブロック化してなるテキストエントリスロットＴＸＥＳ０、ＴＸＥＳ１、ＴＸＥＳ２、……の連続により形成される。
【０００８】
またサムネイル画像エントリＥ３は、ディスクタイトル、各管理対象ファイルの内容を示す静止画像により抜粋情報が割り当てられ、先頭に、サムネイル画像エントリＥ３であることを示すサムネイル画像エントリヘッダＴＨＨが設定され、抜粋情報をブロック化してなるサムネイル画像エントリスロットＴＨＥＳ０、ＴＨＥＳ１、ＴＨＥＳ２、……の連続により形成される。
【０００９】
これに対してプロパティエントリＥ４は、ディスクタイトル、各管理対象ファイルの属性を示すデータが割り当てられ、これらディスクタイトル、各管理対象ファイルに設定されたバイナリーデータによる抜粋情報が割り当てられる。プロパティエントリＥ４は、先頭に、プロパティエントリＥ４であることを示すプロパティエントリヘッダＰＨが設定され、抜粋情報をブロック化してなるプロパティエントリスロットＰＥＳ０、ＰＥＳ１、ＰＥＳ２、……の連続により形成される。
【００１０】
これによりインデックスファイルにおいては、例えばサムネイル画像より所望するファイルを選択する場合、タイトルにより所望するファイルを選択する場合等、ユーザーの選択基準に従って、対応するエントリＥ１〜Ｅ４に設定された抜粋情報をユーザーに提供して、簡易な処理により所望するファイルを簡易かつ確実に選択できるようになされている。
【００１１】
【特許文献１】
特開２００１−８４７０５号公報
【特許文献２】
特開２００２−２７８９９６号公報
【００１２】
【発明が解決しようとする課題】
ところでこのように各属性情報毎に抜粋情報をグループ化してエントリＥ１〜Ｅ４を形成する場合、プロパティエントリＥ４には、対応するスロットが必ず存在するものの、管理対象ファイルの種類によっては、他のエントリＥ１〜Ｅ４については、対応するスロットが存在しない場合も発生する。これによりプロパティエントリＥ４の各スロットに、自身のスロット、対応する他のエントリのスロットを管理する管理情報を記録し、この管理情報に従って、図９において矢印により示すように、他のエントリＥ１〜Ｅ３に登録された他のエントリを参照するようにようにすれば、抜粋情報の管理を簡略化し得ると考えられる。
【００１３】
またこのような管理情報の１つに、スロットの有効無効を示すフラグを設定し、このフラグの設定により自身のスロット及び対応する他のエントリのスロットを空きスロットに設定すれば、管理対象ファイルの削除に伴ってこのフラグを操作するだけでインデックスファイルより対応する抜粋情報を削除し得ることにより、インデックスファイルに係る管理を簡略化し得ると考えられる。
【００１４】
またこのようなインデックスファイルにおいては、抜粋情報の長さが変化する場合もあることにより、各スロットを固定長により形成して１つのファイルに係る抜粋情報を１個又は複数個のスロットに割り当てると共に、このような抜粋情報の変化分を見込んで各エントリに空きスロットを割り当てておくことにより、記録媒体に記録した際の無駄を排し、また処理速度の低下を有効に回避することができると考えられる。すなわちこのようにすれば、管理対象ファイルの数が変化した場合でも、記録媒体上における各エントリの論理位置、物理位置については連続した領域に割り当てることができ、これによりインデックスファイルを高速度で読みだすことが可能となる。
【００１５】
しかしながらこのようにするとインデックスファイルにおいては、多量の空きスロットが存在することになり、記録媒体からインデックスファイルを読み出す処理において、無駄にスロットを読み出すことになる。またこれにより例えばプロパティエントリに係る全てのスロットを読み出してメモリに保持し、このメモリに保持したインデックスファイルに基づいて管理対象ファイルを処理する場合にあっては、このメモリに無駄に空きスロットの情報を記録することになり、その分、メモリの容量を無駄に消費することになる。
【００１６】
この問題を解決する１つの方法として、プロパティエントリヘッダに、有効なスロット数を記録することが考えられるが、この場合、プロパティエントリのデータを記録媒体から読み出しながら、読み出したスロットに設定されたフラグを判定して有効なスロット数をカウントすることが必要になり、その分、プロパティエントリの読み出しに時間を要することになる。
【００１７】
なおこのようにプロパティエントリのデータを記録媒体から読み出す場合にあっては、該当する機器の起動時に係る処理であることにより、この機器にあっては、その分、起動に時間を要することになる。またこのような機器が光ディスク装置のようにアクセス時間を要する記録装置の場合、このような起動時における待ち時間が顕著になる。
【００１８】
本発明は以上の点を考慮してなされたもので、空きスロットによる無駄を低減することができる記録装置、ファイル管理方法、ファイル管理方法のプログラム、ファイル管理方法のプログラムを記録した記録媒体を提案しようとするものである。
【００１９】
【課題を解決するための手段】
かかる課題を解決するため請求項１の発明においては、所望のファイルを記録媒体に記録する記録装置に適用して、抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループの各スロットに、自身のスロット及び異なるグループの対応するスロットの管理情報を設定し、管理情報には、少なくとも異なるグループの対応するスロットを特定するスロット番号と、異なるグループの対応するスロット及び自身のスロットの有効無効を示す有効無効情報とを設定し、プロパティのグループのヘッダに、有効無効情報により有効に設定されてなる最後尾のスロットを特定する最後尾有効スロット番号を設定する。
【００２０】
また請求項４の発明においては、記録媒体に記録された複数のファイルに係るファイル管理方法に適用して、ファイル及びフォルダの抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループのスロットに、自身のスロット及び異なるグループの対応するスロットの管理情報を設定し、管理情報には、少なくとも異なるグループの対応するスロットを特定するスロット番号と、異なるグループの対応するスロット及び自身のスロットの有効無効を示す有効無効情報とを設定し、プロパティのグループのヘッダに、有効無効情報により有効に設定されてなる最後尾のスロットを特定する最後尾有効スロット番号を設定する。
【００２１】
また請求項５の発明においては、コンピュータに所定の処理手順を実行させることにより、記録媒体に記録された複数のファイルを管理するファイル管理方法のプログラムに適用して、処理手順が、ファイル及びフォルダの抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループのスロットに、自身のスロット及び異なるグループの対応するスロットの管理情報を設定し、管理情報には、少なくとも異なるグループの対応するスロットを特定するスロット番号と、異なるグループの対応するスロット及び自身のスロットの有効無効を示す有効無効情報とを設定し、プロパティのグループのヘッダに、有効無効情報により有効に設定されてなる最後尾のスロットを特定する最後尾有効スロット番号を設定する処理手順であるようにする。
【００２２】
また請求項６の発明においては、コンピュータに所定の処理手順を実行させることにより、記録媒体に記録された複数のファイルを管理するファイル管理方法のプログラムを記録した記録媒体に適用して、処理手順が、ファイル及びフォルダの抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループのスロットに、自身のスロット及び異なるグループの対応するスロットの管理情報を設定し、管理情報には、少なくとも異なるグループの対応するスロットを特定するスロット番号と、異なるグループの対応するスロット及び自身のスロットの有効無効を示す有効無効情報とを設定し、プロパティのグループのヘッダに、有効無効情報により有効に設定されてなる最後尾のスロットを特定する最後尾有効スロット番号を設定する処理手順であるようにする。
【００２３】
請求項１の構成により、記録装置に適用して、抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループの各スロットに、自身のスロット及び異なるグループの対応するスロットの管理情報を設定し、管理情報には、少なくとも異なるグループの対応するスロットを特定するスロット番号と、異なるグループの対応するスロット及び自身のスロットの有効無効を示す有効無効情報とを設定し、プロパティのグループのヘッダに、有効無効情報により有効に設定されてなる最後尾のスロットを特定する最後尾有効スロット番号を設定すれば、スロットを固定長により形成して、抜粋情報の変化分を見込んで空きスロットを多数設けている場合でも、この最後尾有効スロット番号に基づいて、この有効に設定されてなる最後尾のスロットまでプロパティのグループを再生して、この最後尾のスロットに続く空きスロットの無駄な再生を回避することができる。これによりこのような空きスロットによる無駄な再生を低減し、さらには再生したスロットのデータを保持するメモリに無駄を低減することができる。
【００２４】
これにより請求項４、請求項５、請求項６の構成によれば、空きスロットによる無駄を低減することができるファイル管理方法、ファイル管理方法のプログラム、ファイル管理方法のプログラムを記録した記録媒体を提供することができる。
【００２５】
【発明の実施の形態】
以下、適宜図面を参照しながら本発明の実施の形態を詳述する。
【００２６】
（１）実施の形態の構成
（１−１）光ディスク装置の構成
図１は、本発明の実施の形態に係る光ディスク装置を示すブロック図である。この光ディスク装置１においては、図示しない撮像手段、音声取得手段により被写体のビデオ信号、オーディオ信号を取得し、このビデオ信号及びオーディオ信号による撮像結果を光ディスク２に記録する。またこの光ディスク２に記録した撮像結果を再生して液晶表示パネルによる表示手段、スピーカによる音声出力手段より出力し、また外部機器に出力する。この光ディスク装置１では、このような撮像結果によるビデオ信号及びオーディオ信号をＭＰＥＧ（Ｍｏｖｉｎｇ  Ｐｉｃｔｕｒｅ  Ｅｘｐｅｒｔｓ  Ｇｒｏｕｐ）のフォーマットによりストリーミングデータに変換した後、所定のファイル形式により光ディスク２に記録するようになされ、この実施の形態では、このファイル形式にＱｕｉｃｋ  Ｔｉｍｅ（以下、「ＱＴ」と呼ぶ）が適用されるようになされている。なおこの実施の形態においては、このようにＱＴ形式によりインデックスファイルを作成する場合について説明するが、後述するようにインデックスファイルには種々のファイル形式を適用することができる。また記録媒体にあっても、光ディスクに限らず、ハードディスク、フラッシュメモリ等、種々の記録媒体を適用することができる。
【００２７】
これにより光ディスク装置１において、ビデオ符号器１１は、撮像結果によるビデオ信号をアナログディジタル変換処理してビデオデータを生成し、このビデオデータをＭＰＥＧのフォーマットに従って符号化処理し、これによりビデオデータによるエレメンタリストリームを出力する。
【００２８】
またオーディオ符号器１２は、撮像結果によるオーディオ信号をアナログディジタル変換処理してオーディオデータを生成し、このオーディオデータをＭＰＥＧのフォーマットに従って符号化処理し、これによりオーディオデータによるエレメンタリストリームを出力する。
【００２９】
ファイル生成器１５は、記録時、ビデオ符号器１１及びオーディオ符号器１２から出力されるエレメンタリストリームを多重化処理し、システム制御マイコン１９の制御によりＱＴムービーファイルを作成する。
【００３０】
メモリコントローラ１８は、システム制御マイコン１９の制御により動作を切り換え、記録時、このファイル生成器１５から出力されるＱＴムービーファイルによるデータ列、システム制御マイコン１９から出力される各種データをメモリ１７に順次記録して一時保持し、続くエラー訂正符号／復号器２１の処理に対応して保持したデータを出力する。また再生時、これとは逆に、エラー訂正符号／復号器２１の出力データを一時保持し、ファイル復号器１６、システム制御マイコン１９に出力する。
【００３１】
エラー訂正符号／復号器２１は、システム制御マイコン１９の制御により動作を切り換え、記録時、メモリコントローラ１８の出力データをメモリ２０に一時記録して誤り訂正符号を付加する。またこのようにしてメモリに保持したデータを所定順序により読み出して出力することにより、これらのデータをインターリーブ処理してデータ変復調器２３に出力する。またエラー訂正符号／復号器２１は、再生時、記録時とは逆に、データ変復調器２３から出力されるデータを所定順序によりメモリ２０に一時記録してメモリコントローラ１８に出力することにより、このデータ変復調器２３から出力されるデータをデインターリーブ処理して出力する。またこのとき、記録時に付加した誤り訂正符号により誤り訂正処理する。
【００３２】
データ変復調器２３は、システム制御マイコン１９の制御により動作を切り換え、記録時、エラー訂正符号／復号器２１の出力データをシリアルデータ列に変換した後、変調処理して磁界変調ドライバ２４又は光ピックアップ３３に出力する。また再生時、光ピックアップ３３から出力される再生信号からクロックを再生し、このクロックを基準にして再生信号を２値識別、復調処理することにより、記録時に生成したシリアルデータ列に対応する再生データを得、この再生データをエラー訂正符号／復号器２１に出力する。
【００３３】
磁界変調ドライバ２４は、光ディスク２が光磁気ディスクの場合に、記録時、システム制御マイコン１９の制御により、データ変復調器２３の出力信号により磁界ヘッド３２を駆動する。ここで磁界ヘッド３２は、光ディスク２を間に挟んで光ピックアップ３３に対向するように保持され、光ピックアップ３３によるレーザービーム照射位置にデータ変復調器２３の出力データに応じた変調磁界を印加する。これによりこの光ディスク装置１では、光ディスク２が光磁気ディスクの場合、熱磁気記録の手法により光ディスク２にＱＴムービーファイル等を記録するようになされている。
【００３４】
かくするにつき光ディスク２は、ディスク状記録媒体であり、この実施の形態では、光磁気ディスク（ＭＯ：Ｍａｇｎｅｔｏ−Ｏｐｔｉｃａｌ  Ｄｉｓｋ）、相変化型ディスク等の書き換え可能な光ディスクである。スピンドルモータ３１は、この光ディスク２をサーボ回路３０の制御により、光ディスク２に応じて線速度一定（ＣＬＶ：Ｃｏｎｓｔａｎｔ  Ｌｉｎｅａｒ  Ｖｅｌｏｃｉｔｙ）、角速度一定（ＣＡＶ、Ｃｏｎｓｔａｎｔ  Ａｎｇｕｌａｒ  Ｖｅｌｏｃｉｔｙ）、ゾーンＣＬＶ（ＺＣＬＶ：Ｚｏｎｅ  Ｃｏｎｓｔａｎｔ  Ｌｉｎｅａｒ  Ｖｅｌｏｃｉｔｙ  ）等の条件により光ディスク２を回転駆動する。
【００３５】
サーボ回路３０は、光ピックアップ３３から出力される各種信号に基づいて、スピンドルモータ３１の動作を制御し、これによりスピンドル制御の処理を実行する。またサーボ回路３０は、同様にして光ピックアップ３３をトラッキング制御、フォーカス制御し、また光ピックアップ３３、磁界ヘッド３２をシークさせ、さらにはフォーカスサーチ等の処理を実行する。
【００３６】
ドライブ制御マイコン２２は、システム制御マイコン１９の指示により、これらサーボ回路３０におけるシーク等の動作を制御する。
【００３７】
光ピックアップ３３は、光ディスク２にレーザービームを照射してその戻り光を所定の受光素子により受光し、受光結果を演算処理することにより、各種制御用の信号を生成して出力し、また光ディスク２に形成されたピット列、マーク列に応じて信号レベルが変化する再生信号を出力する。また光ピックアップ３３は、システム制御マイコン１９の制御により動作を切り換え、光ディスク２が光磁気ディスクの場合、記録時、光ディスク２に照射するレーザービームの光量を間欠的に立ち上げる。これによりこの光ディスク装置１では、いわゆるパルストレイン方式により光ディスク２にＱＴムービーファイル等を記録するようになされている。また光ピックアップ３３は、光ディスク２が相変化型ディスク等の場合、データ変復調器２３の出力データに応じて光ディスク２に照射するレーザービームの光量を再生時の光量から書き込み時の光量に立ち上げ、これにより熱記録の手法を適用して光ディスク２にＱＴムービーファイル等を記録するようになされている。
【００３８】
これらによりこの光ディスク装置１では、撮像結果によるビデオ信号及びオーディオ信号をビデオ符号器１１、オーディオ符号器１２によりデータ圧縮してエレメンタリストリームに変換した後、ファイル生成器１５によりＱＴムービーファイルに変換し、メモリコントローラ１８、エラー訂正符号／復号器２１、データ変復調器２３を順次介して、光ピックアップ３３により、又は光ピックアップ３３及び磁界ヘッド３２によりこのＱＴムービーファイルのデータ、インデックスファイルのデータ等を光ディスク２に記録するようになされている。
【００３９】
また光ディスク装置１では、光ピックアップ３３より得られる再生信号をデータ変復調器２３により処理して再生データを得、この再生データをエラー訂正符号／復号器２１で処理して、光ディスク２に記録したＱＴムービーファイル、インデックスファイル等を再生できるようになされ、これらＱＴムービーファイル、インデックスファイル等をメモリコントローラ１８から出力するようになされている。
【００４０】
ファイル復号器１６は、メモリコントローラ１８から出力されるＱＴムービーファイルのデータを入力し、このデータをビデオデータ及びオーディオデータのエレメンタリストリームに分解して出力する。ビデオ復号器１３は、このビデオデータのエレメンタリストリームをデータ伸長して図示しない表示手段、外部機器に出力する。オーディオ復号器１４は、ファイル復号器１６から出力されるオーディオデータのエレメンタリストリームをデータ伸長して、図示しない音声出力手段、外部機器に出力する。これによりこの光ディスク装置１では、光ディスク２から再生した撮像結果をモニタし得るようになされている。
【００４１】
なお、光ディスク装置１は、コンピュータ等の外部機器を接続するインターフェースを有し、これにより撮像結果に代えてコンピュータの出力データを光ディスク２に記録し、また光ディスク２に記録したファイルを再生してコンピュータで処理できるようになされている。
【００４２】
操作部２６は、この光ディスク装置１の各種操作子、液晶表示パネルに配置されたタッチパネルにより構成され、ユーザーによる各種操作をシステム制御マイコン１９に通知する。
【００４３】
システム制御マイコン１９は、この光ディスク装置１全体の動作を制御するコンピュータであり、図示しないメモリに記録された所定の処理プログラムの実行により、光ディスク２の装填が検出されると、光ピックアップ３３を光ディスク２の最内周にシークさせ、光ディスク２に係るファイル管理システムの管理情報を再生する。さらにシステム制御マイコン１９は、この再生した管理情報をメモリコントローラ１８から取得し、内蔵のメモリに保持する。これによりシステム制御マイコン１９は、光ディスク２に記録された各ファイルのアドレス、空き領域を検出するようになされている。
【００４４】
またこのようにして取得した管理情報を検索して、光ディスク２にインデックスファイルが記録されている場合、このインデックスファイルの記録位置に光ピックアップ３３をシークさせ、このインデックスファイルを再生する。またメモリコントローラ１８よりこの再生したインデックスファイルを取得し、内蔵のメモリに記録して保持する。これによりこの実施の形態では、このインデックスファイルを利用して光ディスク２に記録されたファイルの処理に関して全体の操作性を向上するようになされている。なお、これによりインデックスファイルにおいては、ユーザーエリアの最内周近傍に記録して立ち上がり時間を短くすることができる。
【００４５】
すなわちシステム制御マイコン１９は、ユーザーの操作に応動して、このインデックスファイルによりモニタ用の液晶表示パネルにサムネイル画像等を表示することにより光ディスク２に記録されたＱＴムービーファイルの内容を紹介し、またこの紹介によりユーザーによるファイルの選択を受け付け、対応する管理情報によりこのユーザーにより選択されたファイルを再生するように全体の動作を制御する。
【００４６】
またユーザーによる撮像結果の記録が指示されると、管理情報により空き領域を検出して光ピックアップ３３をこの空き領域にシークさせ、順次得られる撮像結果を光ディスク２に記録する。またこの撮像結果の記録によるＱＴムービーファイルの記録に対応するように、メモリに保持した管理情報を更新し、光ディスク２の排出時等において、この更新した管理情報により光ディスク２の管理情報を更新する。なおこの管理情報の更新においては、メモリに保持して更新した管理情報をメモリコントローラ１８を介してエラー訂正符号／復号器２１に出力することにより実行される。
【００４７】
これらの処理において、システム制御マイコン１９は、記録に供するＱＴファイルの生成に必要な各種の情報をファイル生成器１５に出力する。またファイル生成器１５を介してインデックスファイルの生成に必要な情報を取得し、この取得した情報とファイル生成器１５に出力した情報等とにより、新たに光ディスク２に記録するＱＴムービーファイルについて、メモリに保持したインデックスファイルを更新し、管理情報における更新処理と同様にして、このようにして更新してメモリに保持したインデックスファイルにより光ディスク２に記録されたインデックスファイルを更新する。
【００４８】
またユーザーにより光ディスク２に記録されたファイルの削除、追加等の編集が指示されると、さらにはインデックスファイル自体の編集が指示されると、この編集の処理に対応するように、記録時と同様にして、メモリに保持したインデックスファイル、管理情報を更新し、このメモリに保持したインデックスファイル、管理情報により光ディスク２のインデックスファイル、管理情報を更新する。なお光ディスク２にＱＴムービーファイルが記録されているにも係わらずインデックスファイルが記録されていない場合、システム制御マイコン１９は、ユーザーの指示によりインデックスファイルを作成してメモリに保持すると共に、光ディスク２に記録するようになされ、この処理においては、光ディスク２より各ＱＴムービーファイルの該当箇所を再生して、メモリコントローラ１８からインデックスファイルの生成に必要な情報を取得するようになされている。
【００４９】
（１−２）インデックスファイル
この実施の形態において、インデックスファイルは、ＱＴムービーファイル等の光ディスク２に記録される各種ファイルと同様に、光ディスク２のファイル管理システムにより、記録位置のアドレス、ファイル名、ファイル長等の再生に必要な情報が管理されるファイルであり、光ディスク２に記録された管理対象であるＱＴムービーファイルの内容を紹介する管理対象ファイルの抜粋情報等により構成される。
【００５０】
これによりこの光ディスク装置１では、このインデックスファイルに基づいて光ディスク２に記録されたＱＴムービーファイルを選択し、この選択したファイルをファイル管理システムに基づいて光ディスク２から再生することにより、光ディスク２に多数のＱＴムービーファイルが記録されている場合でも、所望するファイルを迅速かつ正確に選択できるようになされ、その分、操作性を向上できるようにようになされている。
【００５１】
この実施の形態において、インデックスファイルは、このＱＴムービーファイルの内容を紹介する情報にＱＴムービーファイルに係る情報を抜粋した抜粋情報等を割り当て、これにより各ＱＴムービーファイルの内容を簡易かつ迅速に把握できるようになされている。
【００５２】
インデックスファイルは、例として図９について上述したプロパティエントリ、サムネイル画像エントリ、テキストエントリ、サウンドエントリによる４つのファイルにより形成され、システム制御マイコン１９の指示により、光ディスク２−メモリ間で読み書きされる。
【００５３】
ここで抜粋情報は、このインデックスファイルによる管理対象ファイルの内容を紹介する管理対象ファイルの一部を抜粋した情報であることにより、管理対象ファイルの種類に応じて変化するものの、この実施の形態のように、管理対象ファイルがビデオデータ及びオーディオデータによるＱＴムービーファイルである場合、抜粋情報には、プロパティ、テキスト、サムネイル画像、サウンドの４種類のデータが適用される。なおこれらのうちプロパティが必須であるが、他は場合によっては削られたり、あるいはここに上げられていない種類のグループが加えられる。
【００５４】
ここでプロパティは、ディスクタイトル、各管理対象ファイルの属性を示す属性情報である、ディスクタイトル、各管理対象ファイルに設定されたバイナリーデータによる抜粋情報が、他の抜粋情報の管理情報等と共に割り当てられる。テキストは、ディスクタイトル、各管理対象ファイルに係るタイトルの文字列を示すデータにより構成される。
【００５５】
サムネイル画像は、ディスクタイトル、各管理対象ファイルの内容を示す静止画像により構成され、管理対象ファイルのサムネイル画像は、例えば管理対象ファイルの先頭画像が割り当てられる。これに対してディスクタイトルのサムネイル画像等は、ユーザの選択により、例えば特定の管理対象ファイルのサムネイル画像が割り当られる。なお各管理対象ファイルのサムネイル画像は、ユーザーの選択により設定するようにしてもよい。
【００５６】
サウンドは、ディスクタイトル、各管理対象ファイルの内容を示す短時間のオーディオデータである。管理対象ファイルのサウンドは、例えば対応するファイルの再生開始より数秒間（例えば５秒間）のオーディオデータが割り当てられる。これに対してディスクタイトルのサウンド等は、ユーザの選択により、例えば特定の各管理対象ファイルのサウンドが割り当られる。なお管理対象ファイルのサウンドにあっても、ユーザーの選択により設定するようにしてもよい。
【００５７】
これによりこの光ディスク装置１において、システム制御マイコン１９は、ファイル生成器１５よりデータ圧縮されたビデオデータ及びオーディオデータを取得してデコードした後、ビデオデータにおいては、画素の間引きによりサムネイル画像を生成するようになされている。またオーディオデータについては、必要箇所を切り出してサウンドのデータを生成するようになされている。また光ディスク２のファイル管理システムに保持された各管理対象ファイルのファイル情報より、さらにはユーザーの設定によりタイトルのデータを生成するようになされている。これに対してプロパティは、ユーザーの操作に応動してシステム制御マイコン１９により作成される。なおこれらサムネイル、サウンドのデータにおいては、必要に応じてデータ圧縮されてインデックスデータアトムに割り当てられる。
【００５８】
インデックスファイルは、さらに実データがそれぞれその抜粋情報の種類毎にグループ化されて各グループ毎にまとめられ、これにより抜粋情報が種類により区分されて複数のデータ群が形成される。インデックスファイルは、図１８に示すように、各グループの先頭にそれぞれヘッダＰＨ〜ＳＨが設定され、また各グループにおいては、固定長によるスロットに実データが割り当てられる。これによりインデックスファイルは、ヘッダＰＨ〜ＳＨに続くスロットの連続により各抜粋情報が登録され、これにより図１８について上述したプロパティエントリＥ４、サムネイル画像エントリＥ３、テキストエントリＥ２、サウンドエントリＥ１がそれぞれ構成されるようになされている。また１つのスロットに対応する１つのファイル等に係る抜粋情報を割り当てることが困難な場合、複数のスロットに１つの管理対象ファイル等による抜粋情報が割り当てられるようになされている。
【００５９】
図２は、このようにして構成されるタイトルエントリのヘッダを示す図表である。このタイトルエントリのヘッダは、ヘッダサイズ「ｈｅａｄｅｒ−ｓｉｚｅ  」、ブランドのタイプ「ｂｒａｎｄ−ｔｙｐｅ」、ヘッダのタイプ「ｈｅａｄｅｒ−ｔｙｐｅ  」、ヘッダのバージョン「ｈｅａｄｅｒ−ｖｅｒｓｉｏｎ」を示す情報が順次割り当てられる。このタイトルエントリには、これらブランドのタイプ、ヘッダのタイプにそれぞれ「ｕｄｖ」、「ｔｉｔｅ」が割り当てられ、これによりこのヘッダが設けられているエントリをタイトルエントリとして識別し得るようになされ、さらにはバージョンを検出できるようになされている。
【００６０】
タイトルエントリのヘッダは、続いてヘッダの実データ・サイズ「ｈｅａｄｅｒ−ｄａｔａ−ｓｉｚｅ」、このヘッダに固有のユニークＩＤ「ｕｎｉｑｕｅ−ＩＤ  」が割り当てられ、続いてタイトルエントリの情報「  ｔｉｔｌｅ  ｅｎｔｒｙ  ｉｎｆｏｒｍａｔｉｏｎ」が順次割り当てられるようになされている。タイトルエントリのヘッダは、このタイトルエントリの情報に、タイトルエントリのバージョン「ｔｉｔｌｅ−ｅｎｔｒｙ−ｖｅｒｓｉｏｎ  」、タイトルエントリのスロットサイズ「ｅｎｔｒｙ−ｓｉｚｅ」が割り当てられる。また続いて、プロパティエントリヘッダのエントリインデックスが２バイト長のときのフォーマット上のタイトルエントリのスロット数の上限値「ｍａｘｉｍｕｍ−ｅｎｔｒｙ−ｃｏｕｎｔ  」、プロパティエントリヘッダのエントリインデックスが２バイト長以外のときのフォーマット上のタイトルエントリのスロット数の上限値「ｍａｘｉｍｕｍ−ｅｎｔｒｙ−ｃｏｕｎｔ  」が順次割り当てられる。
【００６１】
またタイトルエントリのヘッダは、続いてテキストデータタイプのテーブルに係る情報「Ｔｅｘｔｕａｌ  Ｄａｔａ  Ｔｙｐｅ  Ｔａｂｌｅ  」が、テキストエントリの実データに対応して順次割り当てられる。すなわちこのテーブルの情報「Ｔｅｘｔｕａｌ  Ｄａｔａ  Ｔｙｐｅ  Ｔａｂｌｅ  」においては、始めにデータタイプの数「ｎｕｍｂｅｒ−ｏｆ−ｄａｔａ−ｔｙｐｅｓ」が設けられ、データタイプＩＤ「ｄａｔａ−ｔｙｐｅ−ＩＤ」、データタイプ記述文字列「ｄｅｓｃｒｉｐｔｉｏｎ  」が順次繰り返されるようになされている。
【００６２】
またタイトルエントリのヘッダは、続いて独自の拡張領域「Ｅｘｔｅｎｓｉｏｎ  Ｄａｔａ  Ｕｎｉｔ  Ｐａｙｌｏａｄ  」、パディング「ｐａｄｄｉｎｇ  」が割り当てられるようになされている。これによりこの実施の形態では、ＱＴムービーファイルのフォーマットを有効に利用して、タイトルエントリを構成するようになされている。
【００６３】
これに対して図３は、サムネイル画像エントリのヘッダを示す図表である。このサムネイル画像エントリのヘッダは、ヘッダサイズ「ｈｅａｄｅｒ−ｓｉｚｅ  」、ブランドのタイプ「ｂｒａｎｄ−ｔｙｐｅ」、ヘッダのタイプ「ｈｅａｄｅｒ−ｔｙｐｅ  」、ヘッダのバージョン「ｈｅａｄｅｒ−ｖｅｒｓｉｏｎ」を示す情報が順次割り当てられる。このタイトルエントリには、これらブランドのタイプ、ヘッダのタイプにそれぞれ「ｕｄｖ」、「ｔｈｕｍ」が割り当てられ、これによりこのヘッダが設けられているエントリを識別し得るようになされ、さらにはバージョンを検出できるようになされている。
【００６４】
サムネイル画像エントリのヘッダは、続いてヘッダの実データ・サイズ「ｈｅａｄｅｒ−ｄａｔａ−ｓｉｚｅ」が割り当てられ、続いてサムネイル画像エントリの情報「ｔｈｕｍｂｎａｉｌ  ｅｎｔｒｙ  ｉｎｆｏｒｍａｔｉｏｎ  」が割り当てられるようになされている。サムネイル画像エントリのヘッダは、このサムネイル画像エントリの情報に、サムネイル画像エントリのバージョン「ｔｈｕｍｂｎａｉｌ−ｐｉｃｔｕｒｅ−ｅｎｔｒｙ−ｖｅｒｓｉｏｎ  」、サムネイル画像エントリのスロットサイズ「ｅｎｔｒｙ−ｓｉｚｅ」が割り当てられる。また続いて、プロパティエントリヘッダのエントリインデックスが２バイト長のときのフォーマット上のサムネイル画像エントリのスロット数の上限値「ｍａｘｉｍｕｍ−ｅｎｔｒｙ−ｃｏｕｎｔ  」、プロパティエントリヘッダのエントリインデックスが２バイト長以外のときのフォーマット上のサムネイル画像エントリのスロット数の上限値「ｍａｘｉｍｕｍ−ｅｎｔｒｙ−ｃｏｕｎｔ  」が順次割り当てられる。また続いて、コーデックタイプ「ｃｏｄｅｃ  ｔｙｐｅ」、サムネイル画像の幅「ｗｉｄｔｈ  」、サムネイル画像の高さ「ｈｅｉｇｈｔ」、サムネイル画像のカラー深度「ｃｏｌｏｒ−ｄｅｐｔｈ  」が割り当てられ、続いて独自の拡張領域「Ｅｘｔｅｎｓｉｏｎ  Ｄａｔａ  Ｕｎｉｔ  Ｐａｙｌｏａｄ  」、パディング「ｐａｄｄｉｎｇ  」が割り当てられるようになされている。これによりこの実施の形態では、サムネイル画像エントリにおいても、ＱＴムービーファイルのフォーマットを有効に利用して構成するようになされている。
【００６５】
これに対してサウンドエントリにおいても、同様に、ＱＴムービーファイルのフォーマットを有効に利用して構成されるようになされている。
【００６６】
インデックスアトム７０は、インデックスデータアトム７１のプロパティエントリ、テキストエントリ、サムネイル画像エントリ、サウンドエントリにそれぞれ対応するプロパティ、テキスト、サムネイル、サウンドのトラックアトム８１、８２、８３、８４と、これらトラックアトム８１〜８４を統括するムービーヘッダアトム８５とにより構成される。なおインデックスデータアトム７１においては、プロパティのみが必須であることにより、このインデックスアトム７０においては、ムービーヘッダアトム、プロパティトラックのみが必須とされる。
【００６７】
ここでムービーヘッダアトム８５には、ＱＴムービーファイルの場合と同様に、このインデックスファイル全体に関する情報が割り当てられる。これに対してプロパティ、テキスト、サムネイル、サウンドのトラック８１〜８４には、それぞれ対応する実データの位置情報（対応するスロットの開始バイトの相対位置（ＲＢＰ：Ｒｅｌａｔｉｖｅ  Ｂｙｔｅ  Ｎｕｍｂｅｒ）、データ長）がテーブルの形式により順次割り当てられて形成される。
【００６８】
これによりこの光ディスク装置１では、例えばユーザーの指示によりサムネイルを基準にして所望のファイルをサーチする場合には、このサムネイルのトラック８３に基づいてインデックスデータアトム７１より対応するスロットのデータを取得して、サムネイル画像のデータを順次取得できるようになされている。またプロパティトラック８１より対応するプロパティのスロットを検出して、このようにして取得したサムネイル画像のデータ等を処理できるようになされている。
【００６９】
プロパティエントリは、管理対象ファイルである光ディスク２に記録されたファイルに加えて、光ディスク２のファイル管理システムによる実在するフォルダ、仮想的なフォルダ、この仮想的なフォルダに仮想的に配置された管理対象のファイルに対して、それぞれ抜粋情報が登録される。プロパティエントリにおける各スロットにおいては、図４に示すように、各スロットを特定するスロット番号（エントリ番号）、これら実在するファイル、フォルダ、仮想的なファイル、フォルダを識別する識別情報が設定される。なお上述した他のエントリについても、同様に、実在するフォルダ、仮想的なフォルダ、この仮想的なフォルダに仮想的に配置された管理対象のファイルを登録し得るようになされている。これによりインデックスファイルにおいては、光ディスク２のファイル管理システムに対応する階層構造により、またユーザーの設定したお気に入り等による仮想的なフォルダによる階層構造により、管理対象ファイルを管理し得るようになされている。
【００７０】
またプロパティエントリは、他のエントリと同様に、このスロットが固定長により形成され、これによりプロパティに係る抜粋情報を１つのスロットに割り当てることができない場合、１つの管理対象ファイル、フォルダに対して、複数のスロットが割り当てられるようになされている。なおこのプロパティエントリ、他のエントリにおいて、このように１つのファイル、フォルダに対して複数のスロットが割り当てられている場合に、先頭以外のスロットを以下において拡張スロットと呼ぶ。
【００７１】
またプロパティエントリは、何れかの他のエントリにおいて、同様に、１つの管理対象ファイル、スロットに対して複数のスロットを設定する場合には、この他のエントリのスロットに対応するように複数のスロットが割り当てられるようになされている。
【００７２】
これにより例えばテキストエントリ、サムネイル画像エントリ、サウンドエントリが何れも設定されていないフォルダ等に対しては、プロパティに係る抜粋情報のデータ量に応じて１個又は複数個のスロットに対応する抜粋情報が割り当てられるようになされている。またテキストエントリ、サムネイル画像エントリ、サウンドエントリが何れも１つのスロットにより構成されているファイル、フォルダについては、同様に、プロパティに係る抜粋情報のデータ量に応じて１個又は複数個のスロットに対応する抜粋情報が割り当てられるようになされている。これに対してテキストエントリ、サムネイル画像エントリ、サウンドエントリの何れかが複数個のスロットにより構成されているファイル、フォルダについては、プロパティに係る抜粋情報のデータ量が十分に小さい場合でも、これらテキストエントリ、サムネイル画像エントリ、サウンドエントリのうちで最もスロット数の多いエントリに対応するスロット数が設定されるようになされている。
【００７３】
プロパティエントリは、各スロットに、テキストエントリ、サムネイル画像エントリ、サウンドエントリにおける対応するスロットの有無を示す有無情報である有無フラグが、それぞれテキストエントリ、サムネイル画像エントリ、サウンドエントリ毎に設定される。またこの対応するスロットを指し示す識別情報であるスロット番号がそれぞれテキストエントリ、サムネイル画像エントリ、サウンドエントリ毎に設定される。
【００７４】
またプロパティエントリは、続く拡張スロットが存在する場合、この続く拡張スロットを指し示すリンク情報である拡張スロット番号がこれら複数のスロットに設定されるようになされている。なおこの拡張スロット番号及びスロット番号においては、対応するスロットが存在しない場合、何ら意味を持たない値が設定されるようになされ、これによりこのような複数のスロットの末尾のスロット、１つのエントリに対して１つのスロットが割り当てられている場合、他のエントリにおける対応するスロットの有無等を検出できるようになされている。
【００７５】
またプロパティエントリは、対応する他のエントリのスロットが拡張スロットの場合、この対応する他のエントリのスロットが拡張スロットであることを示す拡張情報としての拡張フラグがそれぞれテキストエントリ、サムネイル画像エントリ、サウンドエントリに対応してセットされるようになされている。
【００７６】
またプロパティエントリは、スロットの有効無効を示す有効無効フラグが設定されるようになされ、これによりこのフラグの操作だけで管理対象ファイルの削除に対応できるようになされている。なおプロパティエントリは、これらの他に、管理情報として、例えば分割されたファイルに係る参照関係の情報、再生順序の情報等が割り当てられるようになされている。
【００７７】
これによりプロパティエントリにおいては、続く拡張スロットを指し示す拡張スロット番号を順次辿ってプロパティのスロットを検出することにより、１つのファイル又はフォルダの抜粋情報を割り当てたプロパティのスロットを検出することができ、またこのようにして検出したプロパティのスロットに設定された有無フラグ、スロット番号、拡張フラグにより、この１つのファイル又はフォルダの抜粋情報を割り当てた他のエントリのスロットを検出することができ、これによりこれらの情報により、１つのファイル又はフォルダの抜粋情報を割り当てたスロットの組み合わせをプロパティだけで検出できるようになされている。
【００７８】
これによりこの実施の形態においては、これら有無フラグ、スロット番号、拡張スロット番号、拡張フラグ、有効無効フラグの処理により、抜粋情報をその抜粋情報の種類毎にまとめたデータ群によりインデックスファイルを形成し、１つのデータ群であるプロパティエントリにより他のデータ群をまとめて管理する場合に、抜粋情報の削除、追加に係る処理を簡易かつ確実に実行することができるようになされている。
【００７９】
図５及び図６は、このプロパティエントリのヘッダを示す図表である。このプロパティのヘッダは、他のエントリのヘッダと同様に、ヘッダサイズ「ｈｅａｄｅｒ−ｓｉｚｅ  」、ブランドのタイプ「ｂｒａｎｄ−ｔｙｐｅ」、ヘッダのタイプ「ｈｅａｄｅｒ−ｔｙｐｅ  」、ヘッダのバージョン「ｈｅａｄｅｒ−ｖｅｒｓｉｏｎ」を示す情報が順次割り当てられる。これによりこのヘッダが設けられているエントリを識別し得るようになされ、さらにはバージョンを検出できるようになされている。
【００８０】
プロパティエントリのヘッダは、続いてヘッダの実データ・サイズ「ｈｅａｄｅｒ−ｄａｔａ−ｓｉｚｅ」、このヘッダに固有のユニークＩＤ「ｕｎｉｑｕｅ−ＩＤ  」が割り当てられ、続いてプロパティエントリの情報「ｐｒｏｐｅｒｔｙ  ｅｎｔｒｙ  ｉｎｆｏｒｍａｔｉｏｎ」順次割り当てられるようになされている。プロパティのヘッダは、このプロパティエントリの情報に、プロパティエントリのバージョン「ｐｒｏｐｅｒｔｙ−ｅｎｔｒｙ−ｖｅｒｓｉｏｎ」、プロパティのスロットサイズ「ｅｎｔｒｙ−ｓｉｚｅ」が割り当てられる。また続いて、プロパティエントリの作成時刻「ｃｒｅａｔｉｏｎ−ｔｉｍｅ  」、プロパティエントリの更新時刻「ｍｏｄｉｆｉｃａｔｉｏｎ−ｔｉｍｅ  」、フォルダごとのエントリソートフラグ「ｐｒｏｐｅｒｔｙ−ｓｔａｔｕｓ−ｆｌａｇｓ  」、エントリインデックスのサイズ「ｅｎｔｒｙ−ｉｎｄｅｘ−ｓｉｚｅ」が割り当てられるようになされている。
【００８１】
続いてプロパティエントリのヘッダは、エントリインデックスが２バイト長のときの各種の情報、エントリインデックスが２バイト長以外のときの各種の情報が割り当てられる。ここでエントリインデックスが２バイト長のときの情報にあっては、フォーマット上のプロパティエントリスロット数の上限「ｍａｘｉｍｕｍ−ｅｎｔｒｙ−ｃｏｕｎｔ  」、プロパティエントリスロットの総数「ｎｅｘｔ−ｅｎｔｒｙ−ｉｎｄｅｘ」、ルートフォルダのエントリスロット番号「ｒｏｏｔ−ｆｏｌｄｅｒ−ｅｎｔｒｙ−ｉｎｄｅｘ  」、有効無効フラグにより有効に設定されている最後尾のスロットを指し示す最後尾有効スロット番号「ｌａｓｔ−ｖａｌｉｄ−ｅｎｔｒｙ−ｉｎｄｅｘ」が割り当てられるようになされている。
【００８２】
これに対してエントリインデックスが２バイト長以外のときの情報には、フォーマット上のエントリのスロット数の上限値「ｍａｘｉｍｕｍ−ｅｎｔｒｙ−ｃｏｕｎｔ  」、プロパティエントリスロットの総数「ｎｅｘｔ−ｅｎｔｒｙ−ｉｎｄｅｘ」、ルートフォルダのエントリスロット番号「ｒｏｏｔ−ｆｏｌｄｅｒ−ｅｎｔｒｙ−ｉｎｄｅｘ  」、有効無効フラグにより有効に設定されている最後尾のスロットを指し示す最後尾有効スロット番号「ｌａｓｔ−ｖａｌｉｄ−ｅｎｔｒｙ−ｉｎｄｅｘ」が割り当てられるようになされている。
【００８３】
これによりこの実施の形態では、図７に示すように、プロパティのスロットサイズ「ｅｎｔｒｙ−ｓｉｚｅ」により各スロットのサイズを検出し、またプロパティエントリスロットの総数「ｎｅｘｔ−ｅｎｔｒｙ−ｉｎｄｅｘ」によりプロパティエントリのスロット数を検出し得るようになされている。また最後尾有効スロット番号「ｌａｓｔ−ｖａｌｉｄ−ｅｎｔｒｙ−ｉｎｄｅｘ」により光ディスク２に記録したインデックスファイルに多数の空きスロットが存在する場合でも、空きスロットに設定されていないスロットで、最後尾に位置するスロットを検出し得るようになされ、これにより空きスロットによる無駄を低減し得るようになされている。
【００８４】
プロパティエントリのヘッダは、続いてタイトルエントリの情報「ｔｉｔｌｅ  ｆｉｌｅ  ｉｎｆｏｒｍａｔｉｏｎ」が割り当てられる。ここでこのタイトルエントリの情報には、タイトルエントリのファイル数「ｎｕｍｂｅｒ−ｏｆ−ｔｉｔｌｅ−ｆｉｌｅｓ  」が割り当てられ、タイトルファイル番号「ｎｕｍ−ｏｆ−ｔｉｔｌｅ−ｆｉｌｅｓ」毎に、タイトルファイルＩＤ「ｔｉｔｌｅ−ｆｉｌｅ−ＩＤ  」、エントリインデックスが２バイト長のときのこのファイルのタイトルエントリスロットの総数「ｎｕｍｂｅｒ−ｏｆ−ｔｉｔｌｅ−ｅｎｔｒｉｅｓ−ｉｎ−ｔｈｉｓ−ｆｉｌｅ」、エントリインデックスが２バイト長以外のときの、このファイルのタイトルエントリスロットの総数「ｎｕｍｂｅｒ−ｏｆ−ｔｉｔｌｅ−ｅｎｔｒｉｅｓ−ｉｎ−ｔｈｉｓ−ｆｉｌｅ」が繰り返される。
【００８５】
プロパティエントリのヘッダは、続いてサムネイル画像エントリの情報「ｔｈｕｍｂｎａｉｌ  ｐｉｃｔｕｒｅ  ｆｉｅｌ  ｉｎｆｏｒｍａｔｉｏｎ」が割り当てられる。ここでこのサムネイル画像エントリの情報には、サムネイル画像エントリのファイル数「ｎｕｍｂｅｒ−ｏｆ−ｔｈｕｍｂｎａｉｌ−ｆｉｌｅｓ  」が割り当てられ、サムネイル画像ファイル番号「ｎｕｍ−ｏｆ−ｔｈｕｍｂｎａｉｌ−ｆｉｌｅｓ」毎に、サムネイル画像ファイルＩＤ「ｔｈｕｍｂｎａｉｌ−ｐｉｃｔｕｒｅ−ｆｉｌｅ−ＩＤ  」、エントリインデックスが２バイト長のときのこのファイルのサムネイル画像エントリスロットの総数「ｎｕｍｂｅｒ−ｏｆ−ｔｈｕｍｂｎａｉｌ−ｐｉｃｔｕｒｅ−ｅｎｔｒｉｅｓ−ｉｎ−ｔｈｉｓ−ｆｉｌｅ」、エントリインデックスが２バイト長以外のときの、このファイルのサムネイル画像エントリスロットの総数「ｎｕｍｂｅｒ−ｏｆ−ｔｈｕｍｂｎａｉｌ−ｐｉｃｔｕｒｅ−ｅｎｔｒｉｅｓ−ｉｎ−ｔｈｉｓ−ｆｉｌｅ」が繰り返される。
【００８６】
続いてプロパティエントリのヘッダは、独自の拡張領域「Ｅｘｔｅｎｓｉｏｎ  Ｄａｔａ  Ｕｎｉｔ  Ｐａｙｌｏａｄ  」、パディング「ｐａｄｄｉｎｇ  」が割り当てられるようになされている。これによりこの実施の形態では、プロパティエントリにおいても、ＱＴムービーファイルのフォーマットを有効に利用して構成するようになされている。
【００８７】
この実施の形態において、システム制御マイコン１９は、光ディスク２の初期化の処理において、事前にインデックスファイルを記録する。ここでこの事前に記録されるインデックスファイルにおいては、有効無効フラグの設定により空きスロットに設定してなるスロットが、光ディスク２に管理対象ファイルを記録して抜粋情報を登録しても十分と考えられるスロット数だけ各エントリに設定され、またこの設定に対応するように上述した各種ヘッダ等が設定されるようになされている。これによりこの実施の形態においては、光ディスク２の先頭領域の、物理的に連続した領域にインデックスファイルを記録して、立ち上がりに要する時間を短くするようになされている。
【００８８】
またシステム制御マイコン１９は、このようにしてインデックスファイルを記録してなる光ディスク２が装填されると、インデックスファイルを再生し、内蔵のメモリにインデックスファイルに記録されたデータを保持し、この保持したデータに基づいてインデックス用の各種の情報をユーザーに提供する。またユーザーの操作に応動して撮像結果によるファイル等を光ディスク２に記録し、この光ディスク２へのファイルの記録に対応して抜粋情報を取得し、この取得した抜粋情報を内蔵のメモリに保持する。また光ディスク２の排出時等において、このようにしてメモリに保持した抜粋情報により光ディスク２に記録されたインデックスファイルを更新する。
【００８９】
このような一連のインデックスファイルに係る処理において、システム制御マイコン１９は、プロパティエントリヘッダに設定された最後尾有効スロット番号に基づいて、プロパティエントリを構成する各スロットのデータをこの最後尾有効スロット番号で指し示されるスロットまで一気に読み出してメモリに展開する。また最後尾有効スロット番号より末尾側のスロットについては、記録媒体からの再生を省略する。
【００９０】
すなわち図８は、このインデックスファイルの読み出しに係るシステム制御マイコン１９の処理手順を示すフローチャートである。システム制御マイコン１９は、光ディスク２が装填されると、又はリセットの操作子が操作されると、この処理手順を実行して光ディスク２に記録されたインデックスファイルを内蔵のメモリに読み込む。
【００９１】
すなわちシステム制御マイコン１９は、ステップＳＰ１からステップＳＰ２に移り、光ディスク２のファイル管理システムによる管理情報を取得し、この管理情報よりインデックスファイルのアドレスを取得する。またこの取得したアドレスによりインデックスファイルの再生を開始し、インデックスファイルのプロパティエントリヘッダのデータを内蔵のメモリに記録する。
【００９２】
続いてシステム制御マイコン１９は、ステップＳＰ３に移り、このメモリに記録したプロパティエントリヘッダのデータより最後尾有効スロット番号を検出する。またこのようにして検出した最後尾有効スロット番号と、同様にプロパティエントリヘッダから検出されるプロパティエントリのスロットサイズ、ヘッダのサイズとから、最後尾有効スロット番号で指し示されるスロットを再生するのに必要なデータ長を検出する。システム制御マイコン１９は、この検出したデータ長をパラメータに設定してインデックスファイルの再生コマンドを出力し、これによりプロパティエントリの先頭スロットから最後尾有効スロット番号に対応するスロットまでのデータを一気に連続して取得して内蔵のメモリに記録した後、ステップＳＰ４に移ってこの処理手順を終了する。
【００９３】
（２）実施の形態の動作
以上の構成において、この光ディスク装置１では（図１）、撮像手段、音声取得手段で取得したビデオデータ、オーディオデータがそれぞれビデオ符号器１１、オーディオ符号器１２でエンコードされた後、ファイル生成器１５によりＱＴムービーファイルのデータストリームに変換され、メモリコントローラ１８、エラー訂正符号／復号器２１、データ変復調器２３、磁界変調ドライバ２４、光ピックアップ３３による記録系を介して光ディスク２に記録される。これによりこの光ディスク装置１では、撮像結果がＱＴムービーファイルにより光ディスク２に記録される。またこの光ディスク２のファイルの記録に対応するように、システム制御マイコン１９の出力データがこの光ディスク装置１の記録系に出力され、これにより光ディスク２のファイル管理システムに係る管理情報がこのＱＴムービーファイルの記録に対応するように更新される。
【００９４】
またこのようにして記録したＱＴムービーファイルにおいては、ファイル管理システムによる管理情報に基づいて光ピックアップ３３、データ変復調器２３、エラー訂正符号／復号器２１、メモリコントローラ１８を介して順次再生され、ファイル復号器１６によりビデオデータ及びオーディオデータのエレメンタリストリームに分解された後、それぞれビデオ復号器１３、オーディオ復号器１４によりデコードされて出力される。
【００９５】
この光ディスク装置１では、このようなＱＴムービーファイルの記録再生に係る光ディスク２について、何ら光ディスク２にファイルが記録されていない状態で、光ディスク２を初期化する際に、ＱＴムービーファイルを管理対象に設定してなるインデックスファイルが光ディスク２に記録される。
【００９６】
このインデックスファイルにおいては、ＱＴムービーファイルから取得した抜粋情報を属性によるグループ毎にまとめて記録し得るように、抜粋情報の属性にそれぞれ対応するプロパティエントリ、テキストエントリ、サムネイル画像エントリ、サウンドエントリが、各エントリのヘッダと、それぞれ対応する抜粋情報を割り当てる固定長によるスロットの連続とにより形成され、これらプロパティエントリ、テキストエントリ、サムネイル画像エントリ、サウンドエントリにより構成される（図９）。またこれらエントリのうち、属性情報を割り当てるプロパティエントリについては、各スロットに設定されるスロット番号により特定される対応する他のグループの対応するスロットと、自身のスロットとの有効無効を示す有効無効情報が無効に設定されて、これらスロットが空きスロットに設定されて光ディスク２に記録される。
【００９７】
これによりこの光ディスク装置１では、光ディスク２の先頭領域の、物理的に連続した領域にインデックスファイルを記録して、立ち上がりに要する時間を短くすることができる。
【００９８】
すなわち光ディスク装置１では、光ディスク２の装填、リセットの操作により、光ディスク２のファイル管理システムによる各ファイルの管理情報を光ディスク２から再生して内蔵のメモリに記録し、この内蔵のメモリの記録に従って対応するファイルを光ディスク２から再生する。またこのような管理情報に続いてインデックスファイルを光ディスク２から再生して内蔵のメモリに保持する。
【００９９】
光ディスク装置１では、ユーザーの操作に応動して撮像結果によるファイル等を光ディスク２に記録し、この光ディスク２へのファイルの記録に対応して抜粋情報を取得し、この取得した抜粋情報を内蔵のメモリに記録し、このメモリに保持したインデックスファイルを更新する。また光ディスク２の排出時等において、このようにしてメモリに保持した抜粋情報により光ディスク２に記録されたインデックスファイルを更新する。またこのメモリに保持したデータに基づいてインデックスファイルを構成する各種の情報をユーザーに提供し、これにより各ファイルのサムネイル画像等により所望するファイルを簡易かつ確実に検出し得るようにする。
【０１００】
これによりこの光ディスク装置１では、初期化した直後においては、インデックスファイルを構成する全てのスロットが空きスロットに設定されてなるのに対し、光ディスク２へのＱＴムービーファイルの記録により、このインデックスファイルの空きスロットに順次抜粋情報が登録され、空きスロットが減少していくことなる。またこのようにして一旦登録した抜粋情報にあっても、システム制御マイコン１９においては、ユーザーによる対象ファイルの削除の指示により、対応するスロットの有効無効フラグを無効にセットすることにより、空きスロットが形成されることになる。またユーザーによるお気に入りの登録により、さらにはこの光ディスク装置１をマイコンに接続し、このマイコンによるフォルダの設定によっても、空きスロットに抜粋情報が登録されて有効無効フラグが有効に設定され、さらにはこのようなフォルダの削除によっても、空きスロットが発生する。なおこれらの抜粋情報の登録の一連の操作に対応して光ディスク装置１では、プロパティエントリのスロットに設定された他のグループの対応するスロットを指し示すスロット番号等による他のエントリを管理する管理情報も併せて更新されることになる。
【０１０１】
これにより光ディスク装置１では、光ディスク２へのファイルの記録、削除、インデックスファイルの編集等により、図７に示すように、プロパティエントリＥ４においては、空きスロット（空により示す）と、抜粋情報を割り当てた有効なスロット（何ら文字を割り当てないで示す）とが混在する状態となる。
【０１０２】
この光ディスク装置１では、このような状態に対応してプロパティエントリＥ４において、有効無効情報である有効無効フラグにより有効に設定されてなる最後尾のスロットを特定する最後尾有効スロット番号が、プロパティエントリの先頭側であるプロパティエントリのヘッダＰＨに記録される。また各スロットのサイズ、ヘッダサイズの情報が同様にプロパティエントリのヘッダＰＨに記録される。これにより光ディスク装置１では、光ディスク２の装填時、リセット時における光ディスク２の無駄なアクセスを低減し得るようになされ、さらにはインデックスファイルを保持するメモリにおける無駄な容量の確保を低減し得るようになされている。
【０１０３】
すなわちこの有効無効フラグにより有効に設定されてなる最後尾のスロットを特定する最後尾有効スロット番号によれば、この最後尾有効スロット番号で特定されるスロットより末尾側のスロットについては、空きスロットであると判断することができる。これによりこの最後尾有効スロット番号により特定されるスロットまでインデックスファイルを再生して、残りのスロットについての再生を中止することにより、光ディスク２の無駄なアクセスを少なくすることができる。またメモリにプロパティエントリのデータを記録する場合でも、この残りのスロットについては、メモリへの記録を省略することにより、メモリにおける無駄な容量の消費を回避することができる。
【０１０４】
この光ディスク装置１では、これにより最後尾有効スロット番号により特定されるスロットまでインデックスファイルを再生して、残りのスロットについての再生を中止することにより、光ディスク２の無駄なアクセスを少なくし、さらにはメモリにおける無駄な容量の消費を回避し、これらにより空きスロットによる無駄を少なくするようになされている。
【０１０５】
さらに光ディスク装置１では、このような最後尾有効スロット番号までのインデックスファイルの再生においては、まとめて実行して再生したデータを内蔵のメモリに記録し（図８）、これにより一段と短い時間により動作を立ち上げるようになされている。
【０１０６】
（３）実施の形態の効果
以上の構成によれば、プロパティのスロットに、有効無効を示す有効無効情報である有効無効フラグを設定し、プロパティのヘッダに、この有効無効情報により有効に設定したスロットの最後尾のスロットを示す最後尾有効スロット番号を設定することにより、空きスロットによる無駄を低減することができる。
【０１０７】
すなわちインデックスファイルを記録媒体から再生する際に、この最後尾有効スロット番号により指し示される最後尾のスロットより末尾側のスロットの再生を中止することにより、この最後尾のスロットより末尾側の空きスロットによる無駄を有効に回避することができる。
【０１０８】
またこのときこの最後尾有効スロット番号に基づいて、プロパティのグループの最後尾のスロットまでをまとめて記録媒体から再生してメモリに保持することにより、立ち上がりに要する時間を短くすることができる。
【０１０９】
（４）他の実施の形態
なお上述の実施の形態においては、光ディスクの装填時、リセット時、プロパティのグループの最後尾のスロットまでをまとめて記録媒体から再生してメモリに保持する場合について述べたが、本発明はこれに限らず、例えば所定スロット数単位で光ディスクよりプロパティエントリを再生する場合等にあっても、最後尾有効スロット番号により指し示される最後尾のスロットより末尾側の空きスロットの再生を中止することにより、この最後尾のスロットより末尾側の空きスロットによる無駄を有効に回避することができる。
【０１１０】
また上述の実施の形態においては、本発明を光ディスク装置に適用して撮像結果、パソコンの出力等を記録する場合について述べたが、本発明はこれに限らず、光磁気ディスク、ハードディスク装置等の各種記録媒体に記録した多数のファイルを管理する場合、さらには所定のサーバーに保持した多数のファイルを管理する場合等に広く適用することができる。
【０１１１】
また上述の実施の形態においては、ＱＴムービーファイルによる管理対象ファイルを管理する場合について述べたが、本発明はこれに限らず、種々のフォーマットによるビデオデータによるファイル、オーディオデータによるファイル等を管理する場合に広く適用することができる。
【０１１２】
また上述の実施の形態においては、システム制御マイコン１９に事前にインストールされた処理プログラムにより一連の処理を実行する場合について述べたが、本発明はこれに限らず、このようなプログラムを記録媒体、インターネット等のネットワークにより提供し、このプログラムにより一連の処理を実行する場合についても広く適用することができる。なおこのような記録媒体においては、光ディスク、磁気テープ等、種々の記録媒体を広く適用することができる。
【０１１３】
【発明の効果】
上述のように本発明によれば、プロパティのスロットに、有効無効を示す有効無効情報を設定し、プロパティのヘッダに、この有効無効情報により有効に設定したスロットの最後尾のスロットを示す最後尾有効スロット番号を設定することにより、空きスロットによる無駄を低減することができる。
【図面の簡単な説明】
【図１】本発明の第１の実施の形態に係る光ディスク装置を示すブロック図である。
【図２】テキストエントリのヘッダを示す図表である。
【図３】サムネイル画像エントリのヘッダを示す図表である。
【図４】プロパティエントリの説明に供する図表である。
【図５】プロパティエントリのヘッダを示す図表である。
【図６】図５の続きを示す図表である。
【図７】プロパティエントリの最後尾有効フラグの説明に供する略線図である。
【図８】プロパティエントリの再生手順を示すフローチャートである。
【図９】インデックスファイルの説明に供する図表である。
【符号の説明】
１……光ディスク装置、２……光ディスク、１１……ビデオ符号器、１２……オーディオ符号器、１３……ビデオ復号器、１４……オーディオ復号器、１５……ファイル生成器、１６……ファイル復号器、１９……システム制御マイコン
【図１】
2004259398.tif 000003
【図２】
2004259398.tif 000004
【図３】
2004259398.tif 000005
【図４】
2004259398.tif 000006
【図５】
2004259398.tif 000007
【図６】
2004259398.tif 000008
【図７】
2004259398.tif 000009
【図８】
2004259398.tif 000010
【図９】
2004259398.tif 000011
【手続補正書】
【提出日】平成16年4月8日(2004.4.8)
【手続補正１】
【補正対象書類名】明細書
【補正対象項目名】００５５
【補正方法】変更
【補正の内容】
【００５５】
サムネイル画像は、ディスクタイトル、各管理対象ファイルの内容を示す静止画像により構成され、管理対象ファイルのサムネイル画像は、例えば管理対象ファイルの先頭画像が割り当てられる。これに対してディスクタイトルのサムネイル画像等は、ユーザーの選択により、例えば特定の管理対象ファイルのサムネイル画像が割り当てられる。なお各管理対象ファイルのサムネイル画像は、ユーザーの選択により設定するようにしてもよい。


【手続補正２】
【補正対象書類名】明細書
【補正対象項目名】００５６
【補正方法】変更
【補正の内容】
【００５６】
サウンドは、ディスクタイトル、各管理対象ファイルの内容を示す短時間のオーディオデータである。管理対象ファイルのサウンドは、例えば対応するファイルの再生開始より数秒間（例えば５秒間）のオーディオデータが割り当てられる。これに対してディスクタイトルのサウンド等は、ユーザーの選択により、例えば特定の各管理対象ファイルのサウンドが割り当てられる。なお管理対象ファイルのサウンドにあっても、ユーザーの選択により設定するようにしてもよい。


【手続補正３】
【補正対象書類名】明細書
【補正対象項目名】００５７
【補正方法】変更
【補正の内容】
【００５７】
これによりこの光ディスク装置１において、システム制御マイコン１９は、ファイル生成器１５よりデータ圧縮されたビデオデータ及びオーディオデータを取得してデコードした後、ビデオデータにおいては、画素の間引きによりサムネイル画像を生成するようになされている。またオーディオデータについては、必要箇所を切り出してサウンドのデータを生成するようになされている。また光ディスク２のファイル管理システムに保持された各管理対象ファイルのファイル情報より、さらにはユーザーの設定によりタイトルのデータを生成するようになされている。これに対してプロパティは、ユーザーの操作に応動してシステム制御マイコン１９により作成される。なおこれらサムネイル、サウンドのデータにおいては、必要に応じてデータ圧縮されてインデックスファイルに割り当てられる。


【手続補正４】
【補正対象書類名】明細書
【補正対象項目名】００５８
【補正方法】変更
【補正の内容】
【００５８】
インデックスファイルは、さらに実データがそれぞれその抜粋情報の種類毎にグループ化されて各グループ毎にまとめられ、これにより抜粋情報が種類により区分されて複数のデータ群が形成される。インデックスファイルは、図１９に示すように、各グループの先頭にそれぞれヘッダＰＨ〜ＳＨが設定され、また各グループにおいては、固定長によるスロットに実データが割り当てられる。これによりインデックスファイルは、ヘッダＰＨ〜ＳＨに続くスロットの連続により各抜粋情報が登録され、これにより図１９について上述したプロパティエントリＥ４、サムネイル画像エントリＥ３、テキストエントリＥ２、サウンドエントリＥ１がそれぞれ構成されるようになされている。また１つのスロットに対応する１つのファイル等に係る抜粋情報を割り当てることが困難な場合、複数のスロットに１つの管理対象ファイル等による抜粋情報が割り当てられるようになされている。


【手続補正５】
【補正対象書類名】明細書
【補正対象項目名】００５９
【補正方法】変更
【補正の内容】
【００５９】
図２は、このようにして構成されるタイトルエントリ（テキストエントリ）のヘッダを示す図表である。このタイトルエントリのヘッダは、ヘッダサイズ「header-size 」、ブランドのタイプ「brand-type」、ヘッダのタイプ「header-type 」、ヘッダのバージョン「header-version」を示す情報が順次割り当てられる。このタイトルエントリには、これらブランドのタイプ、ヘッダのタイプにそれぞれ「ｕｄｖ」、「ｔｉｔｅ」が割り当てられ、これによりこのヘッダが設けられているエントリをタイトルエントリとして識別し得るようになされ、さらにはバージョンを検出できるようになされている。


【手続補正６】
【補正対象書類名】明細書
【補正対象項目名】００６３
【補正方法】変更
【補正の内容】
【００６３】
これに対して図３は、サムネイル画像エントリのヘッダを示す図表である。このサムネイル画像エントリのヘッダは、ヘッダサイズ「header-size 」、ブランドのタイプ「brand-type」、ヘッダのタイプ「header-type 」、ヘッダのバージョン「header-version」を示す情報が順次割り当てられる。このサムネイル画像エントリには、これらブランドのタイプ、ヘッダのタイプにそれぞれ「ｕｄｖ」、「ｔｈｕｍ」が割り当てられ、これによりこのヘッダが設けられているエントリを識別し得るようになされ、さらにはバージョンを検出できるようになされている。


【手続補正７】
【補正対象書類名】明細書
【補正対象項目名】００６６
【補正方法】削除
【補正の内容】
【手続補正８】
【補正対象書類名】明細書
【補正対象項目名】００６７
【補正方法】削除
【補正の内容】
【手続補正９】
【補正対象書類名】明細書
【補正対象項目名】００６８
【補正方法】削除
【補正の内容】